(57)【要約】【課題】洗浄装置で歯科用ハンドピースなどの医療器具を洗浄する際に、医療器具に損傷を発生させることを防止できる医療器具洗浄用ユニットを提供すること。【解決手段】医療器具洗浄用ユニット２０は、洗浄液供給フレーム２２と、洗浄液供給フレーム２２の噴出口３３に装着されるハンドピースホルダ２４を備える。ハンドピースホルダ２４は、噴出口３３に着脱可能に連結される連結管部４１、歯科用ハンドピース１００を着脱可能に保持する保持筒部４２、および、連結管部４１と保持筒部４２を連通させる流路４８を備える。また、ハンドピースホルダ２４は流路４８の途中に金属製のメッシュフィルタ４９を備えており、歯科用ハンドピース１００に向かって噴出される洗浄液、すすぎ液、消毒用の熱水および無菌空気から異物を除去する。【選択図】図３
2015186566.tif 000002
【特許請求の範囲】
【請求項１】
洗浄装置の洗浄室内に設けられた洗浄液供給口に連結される連結口、前記連結口を介して前記洗浄液供給口に接続される洗浄液供給路、および、前記洗浄液供給路に連通し前記洗浄液供給口から圧送されてくる洗浄液を噴出する洗浄液噴出口を有する洗浄液供給フレームと、
前記洗浄液噴出口に着脱可能に連結される連結管部、被洗浄器具を着脱可能に保持する保持筒部、および、前記連結管部と前記保持筒部の中心孔を連通させる洗浄液流路を備える器具ホルダと、を有し、
前記器具ホルダは、歯科用ハンドピースのヘッドとは反対側の基部を前記保持筒部の内周側に保持するハンドピースホルダであり、
前記ハンドピースホルダは、前記洗浄液流路の途中に金属製のメッシュフィルタを備えていることを特徴とする医療器具洗浄用ユニット。
【請求項２】
請求項１において、
前記ハンドピースホルダは、
前記保持筒部を備える筒体と、
前記連結管部、前記連結管部と前記保持筒部を連通させた状態で前記筒体を着脱可能に支持する環状の筒体支持部、および、前記連結管部と前記筒体支持部の間で前記メッシュフィルタを着脱可能に支持する環状のフィルタ支持部を備えるケースと、
前記ケースに着脱可能に取り付けられて前記筒体を前記筒体支持部に固定するキャップと、
を備えていることを特徴とする医療器具洗浄用ユニット。
【請求項３】
請求項１において、
前記器具ホルダとして、第２の器具ホルダを有し、
前記第２の器具ホルダは、歯科用吸引管の中空部に前記保持筒部を挿入して当該歯科用吸引管を保持する吸引管ホルダであり、
前記吸引管ホルダは、前記保持筒部の径方向の外側にストッパを備え、
前記ストッパは、前記保持筒部が前記歯科用吸引管に挿入されたときに当該歯科用吸引管と当接して前記径方向の外側に弾性変形し、前記歯科用吸引管を前記保持筒部の側に向かって付勢する付勢力を発揮することを特徴とする医療器具洗浄用ユニット。
【請求項４】
請求項３において、
前記吸引管ホルダは、前記ストッパにおいて前記保持筒部と対向している外周面部分を被覆可能な樹脂製の被覆部材を備えていることを特徴とする医療器具洗浄用ユニット。
【請求項５】
請求項３または４において、
前記吸引管ホルダは、前記保持筒部を前記歯科用吸引管に挿入する挿入方向の後方から当該歯科用吸引管の後端開口の縁の一部分に当接可能な当接部を備えることを特徴とする医療器具洗浄用ユニット。
【請求項６】
請求項３または４において、
前記吸引管ホルダの前記保持筒部は、当該保持筒部を前記歯科用吸引管に挿入する挿入方向の後端に当該挿入方向と交差する方向に貫通して前記中心孔に連通する水抜き孔を備えることを特徴とする医療器具洗浄用ユニット。
【請求項７】
請求項１または２に記載のハンドピースホルダ。
【請求項８】
請求項３ないし６のうちのいずれか一項に記載の吸引管ホルダ。
【発明の詳細な説明】
【技術分野】
【０００１】
本発明は、洗浄装置を用いて歯科用ハンドピースなどを洗浄するための医療器具洗浄用ユニットに関する。
【背景技術】
【０００２】
歯を切削、研摩する歯科用ハンドピースは、工具を回転させるエアータービンおよび水の噴出口を備えるヘッドと、操作者によって把持される基部を備えている。基部内にはエアータービンに空気を供給するための給気管および噴出口に水を供給するための給水管が形成されており、基部の端部分には給気管の給気口および給水管の給水口が露出している。このような歯科用ハンドピースでは、空気や水の供給を止めると、患者の口腔内の唾液や血液や切削粉がヘッドの側から給気管や給水管に入り込むことがある。従って、治療に使用された歯科用ハンドピースは洗浄装置によって洗浄される。また、患者の口腔内の唾液を吸い取る吸引器の先端に装着されて用いられる歯科用吸引管についても、その管内に患者の唾液や血液が付着していることがある。従って、治療に使用された歯科用吸引管は洗浄装置によって洗浄される。
【０００３】
歯科用ハンドピースや歯科用吸引管の洗浄に際しては、給気管内や給水管内の汚れを除去するために、これらの管内に洗浄液を勢いよく流し込む必要がある。ここで、特許文献１には、洗浄装置によって管状の医療機器（医療用チューブ）を洗浄する際に、この環状の医療機器を保持するとともに、洗浄装置の洗浄室内に設けられた洗浄液供給口から供給される洗浄液を管状の医療器具の開口に導く器具ホルダが記載されている。
【先行技術文献】
【特許文献】
【０００４】
【特許文献１】特開２００５−１３５１１号公報
【発明の概要】
【発明が解決しようとする課題】
【０００５】
歯科用ハンドピースの洗浄を行う際にも、歯科用ハンドピースを保持して、洗浄装置の洗浄室内に設けられた洗浄液供給口から供給される洗浄液を給気管の給気口および給水管の給水口に導く器具ホルダを用いれば、給気管内や給水管内の汚れを除去することが可能となる。ここで、歯科用ハンドピースは患者の口腔内に挿入しやすいように細長い形状をしている。また、操作者が持ちやすいように小型化されている。従って、給気管や給水管は細く、洗浄に際して給気管や給水管に異物が進入すると歯科用ハンドピースを損傷させてしまう可能性がある。
【０００６】
また、歯科用吸引管の洗浄を行う際にも、歯科用吸引管を保持して、洗浄装置の洗浄室内に設けられた洗浄液供給口から供給される洗浄液を管内に導く器具ホルダを用いれば、管内の汚れを除去することが可能となる。しかし、例えば、「く」の字形状に曲っている歯科用吸引管の管内を洗浄する場合には、管内に洗浄液を勢いよく流し込むと、洗浄液が歯科用吸引管の内周面の折れ曲がり部分に当たり、洗浄液の勢いによって歯科用吸引管が器具ホルダから外れてしまう可能性がある。歯科用吸引管が器具ホルダから外れて洗浄器の洗浄室内に落下すると、歯科用吸引管を損傷をさせる可能性がある。
【０００７】
本発明の課題は、このような点に鑑みて、洗浄装置で歯科用ハンドピースや歯科用吸引管を洗浄する際に、これらの医療器具に損傷を発生させることを防止できる医療器具洗浄用ユニットを提供することにある。
【課題を解決するための手段】
【０００８】
上記の課題を解決するために、医療器具洗浄用ユニットは、洗浄装置の洗浄室内に設けられた洗浄液供給口に連結される連結口、前記連結口を介して前記洗浄液供給口に接続される洗浄液供給路、および、前記洗浄液供給路に連通し前記洗浄液供給口から圧送されてくる洗浄液を噴出する洗浄液噴出口を有する洗浄液供給フレームと、前記洗浄液噴出口に着脱可能に連結される連結管部、被洗浄器具を着脱可能に保持する保持筒部、および、前記連結管部と前記保持筒部の中心孔を連通させる洗浄液流路を備える器具ホルダと、を有し、前記器具ホルダは、歯科用ハンドピースのヘッドとは反対側の基部を前記保持筒部の内周側に保持するハンドピースホルダであり、前記ハンドピースホルダは、前記洗浄液流路の途中に金属製のメッシュフィルタを備えていることを特徴とする。
【０００９】
本発明では、ハンドピースホルダは保持筒部の内周側に歯科用ハンドピースの基部を保持する。従って、歯科用ハンドピースの基部の内部に形成されている給水管および給気管と洗浄装置の洗浄液供給口を、洗浄液供給フレームおよびハンドピースホルダを介して連通させることができる。また、ハンドピースホルダは洗浄液流路の途中にメッシュフィルタを備えているので、歯科用ハンドピースに向かって噴出される洗浄液から異物を除去することができる。よって、歯科用ハンドピース内に異物が進入することを防止しながら、歯科用ハンドピースの内部を洗浄できる。ここで、メッシュフィルタをセラミックス製とすることも考えられるが、この場合にはメッシュフィルタからセラミックス粉が発生し、この粉体が異物となって歯科用ハンドピースの内部に進入することがある。これに対して、本発明では、メッシュフィルタが金属製なので、メッシュフィルタからの粉体の発生を防止できる。
【００１０】
本発明において、前記ハンドピースホルダは、前記保持筒部を備える筒体と、前記連結管部、前記連結管部と前記保持筒部を連通させた状態で前記筒体を着脱可能に支持する環状の筒体支持部、および、前記連結管部と前記筒体支持部の間で前記メッシュフィルタを着脱可能に支持する環状のフィルタ支持部を備えるケースと、前記ケースに着脱可能に取り付けられて前記筒体を前記筒体支持部に固定するキャップと、を備えていることが望ましい。このようにすれば、ケースからキャップを外して筒体を取り除くことにより、メッシュフィルタの交換が可能となる。ここで、メッシュフィルタは、金属製なので、超音波洗浄等によって付着した異物を除去すれば、再使用することができる。
【００１１】
本発明において、前記器具ホルダとして、第２の器具ホルダを有し、前記第２の器具ホルダは、歯科用吸引管の中空部に前記保持筒部を挿入して当該歯科用吸引管を保持する吸引管ホルダであり、前記吸引管ホルダは、前記保持筒部の径方向の外側にストッパを備え、前記ストッパは、前記保持筒部が前記歯科用吸引管に挿入されたときに当該歯科用吸引管と当接して前記径方向の外側に弾性変形し、前記歯科用吸引管を前記保持筒部の側に向かって付勢する付勢力を発揮することが望ましい。
【００１２】
このような第２の器具ホルダを備えていれば、歯科用ハンドピースとともに歯科用吸引管を洗浄することができる。ここで、吸引管ホルダは保持筒部を歯科用吸引管に挿入した状態で当該歯科用吸引管を保持する。従って、歯科用吸引管が「く」の字形状に曲っているものの場合には、吸引管ホルダは、歯科用吸引管において直線状に延びている管部分に保持筒部を挿入した状態として、歯科用吸引管を保持することになる。この場合、洗浄液供給口から供給される洗浄液が保持筒部の中心孔から噴出されると、洗浄液が歯科用吸引管の内周面の折れ曲がり部分に当たり、洗浄液の勢いによって歯科用吸引管が保持筒部の先端側に移動して外れてしまう可能性がある。かかる問題に対して、吸引管ホルダは歯科用吸引管を保持筒部の側に付勢する付勢力を発揮するストッパを備えているので、歯科用吸引管が外れることを防止できる。従って、落下による歯科用吸引管の損傷を防止できる
。
【００１３】
本発明において、前記吸引管ホルダは、前記ストッパにおいて前記保持筒部と対向している外周面部分を被覆可能な樹脂製の被覆部材を備えていることが望ましい。このような被覆部材を備えれば、ストッパが歯科用吸引管を保持筒部に押し付ける際に当該歯科用吸引管を傷つけてしまうことがない。
【００１４】
本発明において、前記吸引管ホルダは、前記保持筒部を前記歯科用吸引管に挿入する挿入方向の後方から当該歯科用吸引管の後端開口の縁の一部分に当接可能な当接部を備えることが望ましい。このような当接部を備えれば、保持筒部に歯科用吸引管を保持したときに当該歯科用吸引管の後端開口が封鎖されることを防止できる。従って、洗浄後の歯科用吸引管の内部に水滴が残留している場合には、この水滴は、当接部によって封鎖されていない開口部分を介して歯科用吸引管の外側に排出される。よって、洗浄後に、歯科用吸引管の内部を乾燥させることが容易となる。
【００１５】
本発明において、前記吸引管ホルダの前記保持筒部は、当該保持筒部を前記歯科用吸引管に挿入する挿入方向の後端に当該挿入方向と交差する方向に貫通して前記中心孔に連通する水抜き孔を備えるものとすることができる。このような水抜き孔を備えれば、保持筒部に保持された歯科用吸引管の内部に水滴が残留している場合には、この水滴を、水抜き孔から保持筒部の中心孔を介して連結管部の側に逃すことができる。よって、洗浄後に、歯科用吸引管の内部を乾燥させることが容易となる。
【００１６】
次に、本発明は、上記のハンドピースホルダとすることができる。本発明のハンドピースホルダによれば、洗浄中に歯科用ハンドピースの内部に異物が進入することを防止しながら、ハンドピースホルダ内の給水管および給気管を洗浄できる。従って、異物により歯科用ハンドピースに損傷が発生することを防止できる。
【００１７】
また、本発明は、上記の吸引管ホルダとすることができる。本発明の吸引管ホルダによれば、歯科用吸引管の洗浄中に歯科用吸引管が吸引管ホルダから外れることを防止できる。従って、落下による歯科用吸引管の損傷を防止できる。
【図面の簡単な説明】
【００１８】
【図１】洗浄装置の概略縦断面図である。
【図２】本発明を適用した医療器具洗浄用ユニットの斜視図である。
【図３】ハンドピースホルダの斜視図および断面図である。
【図４】吸引管ホルダの斜視図および断面図である。
【図５】ハンドピースホルダの別の例の断面図である。
【図６】変形例１の吸引管ホルダの斜視図および断面図である。
【図７】変形例２の吸引管ホルダの斜視図および断面図である。
【図８】変形例３の吸引管ホルダの斜視図および断面図である。
【発明を実施するための形態】
【００１９】
以下に、図面を参照して、本発明を適用した医療器具洗浄用ユニットを説明する。図１は洗浄装置の概略縦断面図である。医療器具洗浄用ユニット２０は、ウオッシャーディスインフェクターといわれる医療用の洗浄装置１の洗浄室２内に取り付けられて使用される。洗浄装置１による医療器具の洗浄動作は、洗浄室２に投入された医療器具を酵素入りの洗剤などを含む洗浄液で洗浄する洗浄工程、医療器具を滅菌処理された水などのすすぎ液ですすぐすすぎ工程、医療器具を熱水で消毒する消毒工程、および、無菌処理されて加熱された無菌空気を洗浄室２内に送り込んで医療器具を乾燥させる乾燥工程を含む。
【００２０】
洗浄装置１は、全体として直方体形状の筐体３を備えている。筐体３の前面には筐体３内に区画された洗浄室２を開閉するための開閉扉４が設けられている。洗浄室２の後壁面２ａの床２ｂに近い部分には洗浄液、すすぎ液、および消毒用の熱水を供給する第１洗浄液供給口５が設けられている。また、洗浄室２の後壁面２ａの天井２ｃに近い部分には洗浄液、すすぎ液、および消毒用の熱水を供給する第２洗浄液供給口６が設けられている。さらに、洗浄室２の後壁面２ａの上下方向の中央部分には、洗浄液、すすぎ液、および消毒用の熱水を供給する第３洗浄液供給口７が設けられている。
【００２１】
第３洗浄液供給口７の側方には、無菌空気を供給する空気供給口８が設けられている。また、洗浄室２の側壁部分には、無菌空気を供給する空気吹出口（不図示）が設けられている。空気供給口８および空気吹出口から供給される無菌空気は、ＨＥＰＡ（ｈｉｇｈｅｆｆｉｃｉｅｎｃｙ ｐａｒｔｉｃｕｌａｔｅａｉｒ）フィルタを介して外部から取り入
れた空気をヒーター（不図示）により加熱したものである。
【００２２】
また、洗浄室２の後壁面２ａには、第２洗浄液供給口６の下方に隣接する部分に排気口９が設けられている。乾燥工程において洗浄室２内で蒸発した水分は、空気供給口８および空気吹出口から供給される無菌空気とともに、排気口９から排出される。
【００２３】
第１洗浄液供給口５には下側洗浄液散布器１０が取り付けられている。第２洗浄液供給口６には上側洗浄液散布器１１が取り付けられている。下側洗浄液散布器１０および上側洗浄液散布器１１は、それぞれ装置前後方向Ｙに水平に延びる洗浄液供給パイプ１２と、洗浄液供給パイプ１２の前端部分に回転可能に取り付けられた棒状の回転ノズル１３を備えている。各洗浄液供給パイプ１２は、その後端がそれぞれ洗浄液供給口５、６に接続されている。下側洗浄液散布器１０の回転ノズル１３は、外周面の上側部分に複数のノズル１４を備えている。上側洗浄液散布器１１の回転ノズル１３は、外周面の下側部分に複数のノズル１４を備えている。洗浄液、すすぎ液または消毒用の熱水が各洗浄液供給口５、６から洗浄液供給パイプ１２を介して回転ノズル１３に供給されると、各回転ノズル１３はノズル１４から洗浄液、すすぎ液または消毒用の熱水を噴出させながら、供給される液体の圧力によって水平に回転する。
【００２４】
下側洗浄液散布器１０の上方には、ステンレス製の矩形の網状ラック１５が配置されている。洗浄室２の上下方向の中央部分には、医療器具洗浄用ユニット２０が取り付けられている。
【００２５】
（医療器具洗浄用ユニット）
図２は医療器具洗浄用ユニット２０の概観斜視図である。図３（ａ）はハンドピースホルダ２４が洗浄液供給フレーム２２に取り付けられた状態を上方から見た場合の斜視図であり、図３（ｂ）はその断面図である。医療器具洗浄用ユニット２０は、矩形の網状ラック２１と、装置前後方向Ｙと直交する装置幅方向Ｘの中央部分において当該網状ラック２１に一体に取り付けられた洗浄液供給フレーム２２と、洗浄液供給フレーム２２に取り付けられた棒状の回転ノズル２３を備えている。また、医療器具洗浄用ユニット２０は、洗浄液供給フレーム２２に着脱可能に取り付けられたハンドピースホルダ（器具ホルダ）２４および吸引管ホルダ（第２の器具ホルダ）２５を備えている。なお、図２に示す状態では、ハンドピースホルダ２４および吸引管ホルダ２５がそれぞれ１つずつ洗浄液供給フレーム２２に取り付けられているが、実際には、洗浄する医療器具の個数に合わせて複数のハンドピースホルダ２４および複数の吸引管ホルダ２５が洗浄液供給フレーム２２に取付けられる。
【００２６】
洗浄液供給フレーム２２は装置幅方向Ｘに延びる第１フレーム部分２６と、第１フレーム部分２６の一方の端部分から装置前後方向Ｙに延びる第２フレーム部分２７と、第１フ
レーム部分２６の途中から第２フレーム部分２７と平行に装置前後方向Ｙに延びる第３フレーム部分２８を備えている。また、洗浄液供給フレーム２２は前後方向の中央部分で第２フレーム部分２７と第３フレーム部分２８を連結している連結フレーム部分２９を備えている。
【００２７】
第１フレーム部分２６における第２フレーム部分２７と第３フレーム部分２８の間の部位には、第３洗浄液供給口７に着脱可能に連結される第１連結口３０が設けられている。第１連結口３０は第１フレーム部分２６から後方に向かって突出している。また、第１フレーム部分２６の他方の端部分は後方に屈曲しており、その後端部には空気供給口８に着脱可能に連結される第２連結口３１が設けられている。ここで、第１フレーム部分２６、第２フレーム部分２７、第３フレーム部分２８および連結フレーム部分２９は矩形の断面形状を備えている。また、第１フレーム部分２６、第２フレーム部分２７、第３フレーム部分２８および連結フレーム部分２９は互いに連通する中空部３２（図３、図４参照）を備えており、これらの中空部３２は第１連結口３０および第２連結口３１に連通している。中空部３２は第１連結口３０を介して洗浄液供給口７から圧送されてくる洗浄液、すすぎ液および消毒用の熱水の供給路（洗浄液供給路）であるとともに、第２連結口３１を介して空気供給口８から供給される無菌空気の供給路（空気供給路）である。
【００２８】
第２フレーム部分２７および第３フレーム部分２８の上面には第２フレーム部分２７の中空部３２および第３フレーム部分２８の中空部３２にそれぞれ連通する噴出口（洗浄液噴出口）３３が設けられている。従って、各噴出口３３は、第１連結口３０を介して洗浄液供給口７から圧送されてくる洗浄液、すすぎ液および消毒用の熱水を噴出する。また、各噴出口３３は、第２連結口３１を介して空気供給口８から送られてくる無菌空気を噴出する。
【００２９】
ここで、図３（ｂ）に示すように、噴出口３３は第２フレーム部分２７および第３フレーム部分２８の各上面から中空部３２に貫通する貫通穴であり、その内周面には、雌ねじ３４が形成されている。
【００３０】
回転ノズル２３は、図２に示すように、その中心部分２３ａが連結フレーム部分２９の下側に回転可能に接続されている。回転ノズル２３は外周面の上側部分に複数のノズル３７を備えている。第３洗浄液供給口７から洗浄液、すすぎ液または消毒用の熱水が供給されると、これらの液体は洗浄液供給フレーム２２の中空部３２（洗浄液供給路）を介して回転ノズル２３に供給される。これにより、回転ノズル２３はノズル３７から洗浄液、すすぎ液または消毒用の熱水を噴出させながら、供給される液体の圧力によって水平に回転する。
【００３１】
（ハンドピースホルダ）
次に、図３を参照してハンドピースホルダ２４を説明する。図３（ａ）に示すように、ハンドピースホルダ２４は、下端部分に設けられた連結管部４１が第３フレーム部分２８の噴出口３３に着脱可能に装着されている。ハンドピースホルダ２４の上側部分には歯科用ハンドピース１００を着脱可能に保持する保持筒部４２が設けられている。
【００３２】
図３（ｂ）に示すように、ハンドピースホルダ２４は、保持筒部４２を備えるシリコンゴム製の筒体４５と、連結管部４１を備える樹脂製のケース４６と、筒体４５をケース４６に固定している樹脂製のキャップ４７を備えている。ハンドピースホルダ２４の内部には、連結管部４１の中心孔４１ａと保持筒部４２の中心孔４２ａを連通させる流路４８（洗浄液流路）が形成されている。ハンドピースホルダ２４が洗浄液供給フレーム２２に装着されると、噴出口３３から噴出される洗浄液、すすぎ液、消毒用の熱水および無菌空気は連結管部４１から流路４８を介して保持筒部４２に達し、保持筒部４２の中心孔４２ａ
から噴出される。流路４８の途中にはメッシュフィルタ４９が配置されている。
【００３３】
筒体４５はシリコンゴム製である。筒体４５は、下方から上方に向かって、中心孔が上方に向かって内周側に向かうテーパー面となっている第１筒部分５１と、一定の径寸法の中心孔を備える第２筒部分５２と、第２筒部分５２よりも大径の中心孔を備える第３筒部分５３と、第３筒部分５３よりも大径の中心孔を備える第４筒部分５４を連続してこの順番に有している。
【００３４】
第４筒部分５４の内周面には、上下方向に離間した位置に外周側に窪む２本の環状溝５５、５６が形成されている。第４筒部分５４の内周面において、環状溝５５および環状溝５６の間の内周面部分は、環状溝５５、５６のうち下側に位置する環状溝５５よりも下側の内周面部分よりも大径とされている。また、第４筒部分５４の内周面において、環状溝５６よりも上側の内周面部分は、環状溝５５および環状溝５６の間の内周面部分よりも大径とされている。ここで、第４筒部分５４の内周面は上方に向かって内径が段階的に拡大している。従って、保持筒部４２にハンドピース１００の基部１０１（図３参照）を差し込みやすい。また、第３筒部分５３、環状溝５５の下側、環状溝５５および環状溝５６の間、および環状溝５６の上側には、それぞれ径寸法が一定の内周面が所定の幅寸法（高さ寸法）で設けられている。従って、保持筒部４２に差し込まれたハンドピース１００が抜けにくい。
【００３５】
筒体４５の外周面において下側の環状溝５５と対応する高さ位置には上方を向いた環状端面５７ｃを備える環状段部５７が形成されている。これにより筒体４５は、環状段部５７の上側部分５７ａの外径寸法が環状端部の下側部分５７ｂの外径寸法よりも小さくなっている。
【００３６】
ケース４６は、連結管部４１と、連結管部４１の上端から外周側に向かって上方に延びる環状の拡径部６１と、拡径部６１の外周縁から上方に延びるケース側筒部６２を備えている。拡径部６１とケース側筒部６２とを連続させている内周面部分には２つの段部が形成されている。
【００３７】
下側の段部はメッシュフィルタ４９を下方から着脱可能に支持する環状のフィルタ支持部６３である。フィルタ支持部６３は拡径部６１の上面であるテーパー面６１ａの外周縁部分とテーパー面６１ａの外周端から上方に延びる環状壁６３ａから構成されている。メッシュフィルタ４９は、円形の平面形状を備えており、その外周縁部分がテーパー面６１ａの外周縁部分に載置される。上側の段部は筒体４５を下方から着脱可能に支持する環状の筒体支持部６４である。筒体支持部６４はフィルタ支持部６３の環状壁６３ａの上端から外周側に広がる環状面６４ａと、この環状面６４ａの外周端から上方に延びる環状壁６４ｂから構成されている。筒体４５はその下端面の外周縁部分が筒体支持部６４の環状面６４ａに載置される。
【００３８】
ここで、連結管部４１、拡径部６１、ケース側筒部６２、フィルタ支持部６３および筒体支持部６４は同軸に設けられており、これらの内周側は、筒体４５の第１筒部分５１の中心孔および第２筒部分５２の中心孔とともに流路４８を構成している。連結管部４１の外周面には、洗浄液供給フレーム２２の各噴出口３３の内周面に設けられた雌ねじ３４に螺合可能な雄ねじ６５が設けられている。ケース側筒部６２の外周面には雄ねじ６６が設けられている。ハンドピースホルダ２４は連結管部４１が噴出口３３内に捩じ込まれ、拡径部６１の下端面が洗浄液供給フレーム２２の上面に当接した状態で洗浄液供給フレーム２２に装着される。
【００３９】
キャップ４７は、キャップ側筒部７１と、キャップ側筒部７１の上端縁から内周側に突
出する環状板部７２を備えている。キャップ側筒部７１の内周面の下側部分にはケース側筒部６２の外周面に形成された雄ねじ６６と螺合可能な雌ねじ７３が形成されている。
【００４０】
メッシュフィルタ４９は金属製であり、本例ではステンレス鋼製である。また、本例のメッシュフィルタ４９は、メッシュの開口形状や開口広さの異なる複数枚のメッシュフィルタを積層し、焼結により一体化したものである。ここで、複数枚のメッシュフィルタは、メッシュの粗いものが連結管部４１の側に位置し、メッシュの細かいものが保持筒部４２の側に位置するように積層されている。すなわち、噴出口３３から噴出される洗浄液、すすぎ液、消毒用の熱水および無菌空気の流通方向において、上流側から下流側に向かってメッシュが細かくなるように複数枚のメッシュフィルタが積層されている。これにより、比較的大きな異物は上流側の粗いメッシュのメッシュフィルタで捉えられ、上流側のメッシュフィルタを通過した異物は、下流側のより細かなメッシュのメッシュフィルタで捉えられる。従って、メッシュの細かい１枚のメッシュフィルタを用いて異物を除去する場合と比較して、メッシュフィルタ４９が目詰まりしにくい。
【００４１】
ハンドピースホルダ２４を組み立てる際には、ケース４６のフィルタ支持部６３にメッシュフィルタ４９を載せた状態として、ケース４６の上方から筒体４５を筒体支持部６４に載せる。そして、筒体４５の上方からキャップ４７を被せて環状板部７２の内周側に筒体４５の環状段部５７よりも上側部分５７ａを挿入し、キャップ側筒部７１の雌ねじ７３とケース側筒部６２の雄ねじ６６を螺合させる。これによりキャップ４７の環状板部７２が筒体４５の環状段部５７の環状端面５７ｃに当接し、筒体４５は、その下側部分５７ｂがキャップ４７の環状板部７２とケース４６の筒体支持部６４との間に挟まれた状態でケース４６に固定される。また、メッシュフィルタ４９は筒体４５とケース４６との間に挟まれた状態でケース４６に固定される。
【００４２】
ここで、歯科用ハンドピース１００は、工具を回転させるエアータービンおよび水の噴出口を備えるヘッド（不図示）と、操作者によって把持される基部１０１を備えている。基部１０１内にはエアータービンに空気を供給するための給気管１０２および噴出口に水を供給するための給水管１０３が形成されており、基部１０１の端部分には給気管１０２の給気口および給水管１０３の給水口が露出している。歯科用ハンドピース１００は、その基部１０１の端部分が保持筒部４２の内周側に挿入されることにより、ハンドピースホルダ２４に保持される。本例の歯科用ハンドピース１００は、図３（ｂ）に想像線で示すように、基部１０１の端部分が第３筒部分５３の下端まで挿入された状態で、保持筒部４２に保持されている。なお、歯科用ハンドピース１００よりも太い基部を備える歯科用ハンドピースをハンドピースホルダ２４に保持する場合には、その基部の端部分が第４筒部分５４の下端まで挿入された状態で保持筒部４２に保持される。
【００４３】
歯科用ハンドピース１００がハンドピースホルダ２４に保持されて噴出口３３に装着されると、噴出口３３と歯科用ハンドピース１００の給気管１０２および給水管１０３が連通する。従って、歯科用ハンドピース１００の給気管１０２および給水管１０３は、洗浄液供給フレーム２２を介して洗浄装置１の洗浄液供給口７と連通する。
【００４４】
（吸引管ホルダ）
図４（ａ）は吸引管ホルダ２５が洗浄液供給フレーム２２に取り付けられた状態を上方から見た場合の斜視図であり、図４（ｂ）はその断面図である。吸引管ホルダ２５は、ステンレス鋼製である。図４（ａ）に示すように、吸引管ホルダ２５は下端部分に設けられた連結管部７５が第２フレーム部分２７の噴出口３３に着脱可能に装着されている。吸引管ホルダ２５の上側部分には歯科用吸引管１０５を保持するための保持筒部７８が設けられている。
【００４５】
図４（ｂ）に示すように、吸引管ホルダ２５は、下方から上方に向かって、連結管部７５と、連結管部７５よりも小径の小径筒部７６と、連結管部７５および小径筒部７６よりも大径の大径筒部７７と、大径筒部７７および連結管部７５よりも小径の保持筒部７８を連続してこの順番に備えている。保持筒部７８には、その中心孔７８ａに連通する複数の筒部貫通孔７８ｂが形成されている。連結管部７５の外周面には噴出口３３の雌ねじ３４に螺合可能な雄ねじ７９が設けられている。吸引管ホルダ２５は連結管部７５が噴出口３３内に捩じ込まれ、大径筒部７７の下端面が洗浄液供給フレーム２２の上面に当接した状態で洗浄液供給フレーム２２に装着される。
【００４６】
連結管部７５、小径筒部７６、大径筒部７７および保持筒部７８は同軸に形成されており、小径筒部７６の中心孔および大径筒部７７の中心孔は連結管部７５の中心孔７５ａと保持筒部７８の中心孔７８ａを連通させる流路（洗浄液流路）８０となっている。吸引管ホルダ２５が洗浄液供給フレーム２２に装着されると、噴出口３３から噴出される洗浄液、すすぎ液、消毒用の熱水および無菌空気は、連結管部７５から流路８０を介して保持筒部７８に達し、保持筒部７８の中心孔７８ａおよび筒部貫通孔７８ｂから噴出される。
【００４７】
また、吸引管ホルダ２５は保持筒部７８の径方向の外側に板状のストッパ８１を備えている。
【００４８】
より詳細には、吸引管ホルダ２５は、連結管部７５、小径筒部７６、大径筒部７７を備える第１ホルダ構成部材８２と、保持筒部７８を備える第２ホルダ構成部材８３と、ストッパ８１を備えるストッパ部材８４を備えている。
【００４９】
第１ホルダ構成部材８２は大径筒部７７の上端面に凹部８５を備えている。凹部８５の内周面には雌ねじ８６が形成されている。第２ホルダ構成部材８３は保持筒部７８の下側に保持筒部７８よりも小径で凹部８５内に挿入可能な筒状の連結部８７を備えている。連結部８７の外周面には凹部８５の雌ねじ８６と螺合する雄ねじ８８が形成されている。
【００５０】
ストッパ部材８４は、大径筒部７７の上面に沿って延びる固定板部８９と、固定板部８９の外周縁部分から上方に延びるストッパ８１を備えている。固定板部８９の中心には連結部８７を挿入可能な貫通孔９０が設けられている。ストッパ８１は上方に向かって貫通孔９０の側に傾斜する第１傾斜板部８１ａと、第１傾斜板部８１ａの上端縁から上方に向かって貫通孔９０から離れる方向に傾斜する第２傾斜板部８１ｂを備えている。ストッパ８１には、図４に点線で示すように、フッ素樹脂製のチューブ（被覆部材）９１が被せられる。チューブ９１は第１傾斜板部８１ａおよび第２傾斜板部８１ｂの全体を覆っている。
【００５１】
吸引管ホルダ２５を組み立てる際には、ストッパ８１にチューブ９１を被せる。そして、第１ホルダ構成部材８２の上にストッパ部材８４の固定板部８９を配置する。次に、固定板部８９の貫通孔９０を介して第２ホルダ構成部材８３の連結部８７を第１ホルダ構成部材８２の凹部８５内に挿入する。その後、連結部８７の雄ねじ８８を凹部８５の雌ねじ８６を螺合させ、ストッパ部材８４の固定板部８９を間に挟んだ状態で、第２ホルダ構成部材８３を第１ホルダ構成部材８２に固定する。これにより、ストッパ８１は保持筒部７８の外周側において保持筒部７８に沿って上方に延びる状態となる。
【００５２】
ここで、歯科用吸引管１０５は、歯科治療に際して患者の口腔内の唾液などを吸い込むための吸引機器の吸引管の先端に取り付けて使用する管体である。歯科用吸引管１０５は、吸引管ホルダ２５の保持筒部７８がその管内に挿入されることにより、吸引管ホルダ２５に保持される。
【００５３】
保持筒部７８が歯科用吸引管１０５に挿入される際には、ストッパ８１は、第１傾斜板部８１ａと第２傾斜板部８１ｂの間の角部８１ｃがチューブ９１を介して歯科用吸引管１０５に外側から当接する。これにより、ストッパ８１は径方向の外側に弾性変形して、歯科用吸引管１０５を保持筒部７８の側に向かって付勢する付勢力を発揮する。すなわち、ストッパ８１は歯科用吸引管１０５を保持筒部７８に押し付け、これにより、歯科用吸引管１０５の吸引管ホルダ２５からの脱落を防止する。ここで、ストッパ８１にはチューブ９１が被せられているので、ストッパ８１が歯科用吸引管１０５を保持筒部７８に押し付ける際に、歯科用吸引管１０５に傷がつくことが防止される。
【００５４】
歯科用吸引管１０５が吸引管ホルダ２５に保持されて噴出口３３に装着されると、噴出口３３と歯科用吸引管１０５が保持筒部７８の中心孔７８ａおよび筒部貫通孔７８ｂを介して連通する。従って、歯科用吸引管１０５は、洗浄液供給フレーム２２を介して洗浄装置１の洗浄液供給口７と連通する。
【００５５】
（洗浄動作）
歯科用ハンドピース１００、歯科用吸引管１０５および他の医療器具の洗浄を行う際には、ハンドピースホルダ２４を介して歯科用ハンドピース１００を洗浄液供給フレーム２２に装着する。また、吸引管ホルダ２５を介して歯科用吸引管１０５を洗浄液供給フレーム２２に装着する。さらに、他の医療器具を網状ラック１５、２１に載せる。また、洗浄液供給フレーム２２の第１連結口３０を洗浄液供給口７に連結し、第２連結口３１を空気供給口８に連結した状態とする。ここで、洗浄液供給フレーム２２において歯科用ハンドピース１００および吸引管ホルダ２５が装着されていない噴出口３３には、噴出口３３を封鎖するプラグ（不図示）を取り付けておく。プラグは噴出口３３に設けられた雌ねじ３４と螺合可能な雄ねじを備えるものである。
【００５６】
洗浄工程では、洗浄装置１は第１各洗浄液供給口５および第２各洗浄液供給口６から洗浄液を供給する。これにより、下側洗浄液散布器１０および上側洗浄液散布器１１の回転ノズル１３から洗浄液が噴出し、網状ラック１５、２１に載せられた医療器具を洗浄する。また、洗浄装置１は第３洗浄液供給口７から第１連結口３０を介して医療器具洗浄用ユニット２０に洗浄液を供給する。これにより、洗浄液は洗浄液供給フレーム２２およびハンドピースホルダ２４を介してハンドピースホルダ２４に保持された歯科用ハンドピース１００の給気管１０２および給水管１０３の内部まで送り込まれ、これらの管内を洗浄する。さらに、洗浄液は洗浄液供給フレーム２２および吸引管ホルダ２５を介して歯科用吸引管１０５の管内に送り込まれ、この管内を洗浄する。また、医療器具洗浄用ユニット２０に洗浄液が供給されると、回転ノズル２３から洗浄液が噴出し、歯科用ハンドピース１００の外側および歯科用吸引管１０５の外側を洗浄する。さらに、回転ノズル２３からの洗浄液の噴出により、医療器具洗浄用ユニット２０の網状ラック２１に載せられた医療器具が洗浄される。
【００５７】
洗浄工程に続くすすぎ工程では、洗浄液の替わりにすすぎ液が各洗浄液供給口５、６、７から供給され、洗浄工程と同様の動作によって、洗浄室２内の医療器具をすすぐ。すすぎ工程に続く消毒工程では、すすぎ液の替わりに消毒用の熱水が各洗浄液供給口５、６、７から供給され、洗浄工程およびすすぎ工程と同様の動作によって、洗浄室２内の医療器具を消毒する。
【００５８】
乾燥工程では、洗浄装置１は空気吹出口を介して洗浄室２内に加熱した無菌空気を流通させる。これにより網状ラック１５、２１に載せられた医療器具、歯科用ハンドピース１００の外側および歯科用吸引管１０５の外側が乾燥する。また、洗浄装置１は空気供給口８から第２連結口３１を介して医療器具洗浄用ユニット２０に加熱した無菌空気を供給する。これにより、無菌空気は洗浄液供給フレーム２２およびハンドピースホルダ２４を介
して歯科用ハンドピース１００の給気管１０２および給水管１０３の内部まで送り込まれるので、これらの管内が乾燥する。さらに、無菌空気は洗浄液供給フレーム２２および吸引管ホルダ２５を介して歯科用吸引管１０５の管内に送り込まれるので、この管内が乾燥する。歯科用ハンドピース１００および歯科用吸引管１０５に付着していた水分は、水蒸気となって排気口９から外部に排出される。
【００５９】
（作用効果）
本例では、ハンドピースホルダ２４はその内部に形成された流路４８の途中にメッシュフィルタ４９を備えている。従って、噴出口３３から歯科用ハンドピース１００の給水管１０３および給気管１０２に向かって噴出される洗浄液、すすぎ液、消毒用の熱水および無菌空気から異物を除去することができる。よって、歯科用ハンドピース１００内に異物が進入することを防止できる。ここで、メッシュフィルタ４９をセラミックス製とすることも考えられるが、この場合にはメッシュフィルタ４９からセラミックス粉が発生し、この粉体が異物となって歯科用ハンドピース１００の内部に進入することがある。これに対して、本例では、メッシュフィルタ４９が金属製なので、メッシュフィルタ４９からの粉体の発生を防止できる。従って、ハンドピースホルダ２４が異物により損傷することを防止できる。
【００６０】
また、ハンドピースホルダ２４では、キャップ４７をケース４６から外して、ケース４６から筒体４５を取り除くことにより、メッシュフィルタ４９の交換が可能となる。さらに、メッシュフィルタ４９は金属製なので、超音波洗浄等によってそこに付着した異物を除去すれば、再利用することができる。
【００６１】
次に、本例では、吸引管ホルダ２５がストッパ８１を備えている。ここで、歯科用吸引管１０５が「く」の字形状に曲っているものの場合には、器具ホルダは、歯科用吸引管１０５において直線状に延びている管部分に保持筒部７８を挿入して当該歯科用吸引管１０５を保持することになる。このため、噴出口３３から供給される洗浄液、すすぎ液および消毒用の熱水が歯科用吸引管１０５の折れ曲がり部分の内周面に当たり、これらの勢いによって歯科用吸引管１０５が保持筒部７８の先端側に移動して外れてしまう可能性がある。かかる問題に対して、吸引管ホルダ２５は歯科用吸引管１０５を保持筒部７８の側に付勢するストッパ８１を備えるので、歯科用吸引管１０５が外れることを防止できる。従って、歯科用吸引管１０５が吸引管ホルダ２５から落下して損傷することを防止できる。また、ストッパ８１にはフッ素樹脂製のチューブ９１が被せられているので、ストッパ８１が歯科用吸引管１０５を保持筒部７８に押し付ける際に歯科用吸引管１０５を傷つけてしまうこともない。
【００６２】
（ハンドピースホルダの変形例）
図５は変形例のハンドピースホルダの断面図である。本例のハンドピースホルダ２４Ａでは、上記のハンドピースホルダ２４と筒体４５Ａの形状のみが相違している。従って、同一の部分には上記のハンドピースホルダ２４と同一の符号を付して、その説明を省略する。
【００６３】
本例のハンドピースホルダ２４Ａの筒体４５Ａはシリコンゴム製である。筒体４５Ａは、下方から上方に向かって、中心孔が上方に向かって内周側に向かうテーパー面となっている第１筒部分５１Ａと、一定の径寸法の中心孔を備える第２筒部分５２Ａと、第２筒部分５２Ａよりも大径の中心孔を備える第３筒部分５３Ａを連続してこの順番に備えている。第３筒部分５３Ａの内周面は、上方に向かって内周側に傾斜するテーパー面となっている。第３筒部分５３Ａは保持筒部４２を構成している。本例のハンドピースホルダ２４Ａは、コントラアングルの歯科用ハンドピースを洗浄する際に用いられる。ハンドピースホルダ２４Ａにおいても、その内部に形成された流路４８の途中にメッシュフィルタ４９を
備えている。従って、歯科用ハンドピース１００に向かって噴出される洗浄液、すすぎ液、消毒用の熱水および無菌空気から異物を除去することができる。よって、ハンドピースホルダ２４が異物により損傷することを防止できる。
【００６４】
（吸引管ホルダの変形例１）
図６（ａ）は変形例１の吸引管ホルダが洗浄液供給フレーム２２に取り付けられた状態を上方から見た場合の斜視図であり、図６（ｂ）はその断面図であり、図６（ｃ）は台座部材の斜視図である。なお、本例の吸引管ホルダ２５Ａは、上記の吸引管ホルダ２５と対応する構成を備えるので、対応する部分には同一の符号を付して、その説明を省略する。本例の吸引管ホルダ２５Ａは、保持筒部７８の下方に隣接する位置（保持筒部７８を歯科用吸引管１０５に挿入する挿入方向Ｉで当該保持筒部７８の後方に隣り合う位置）に、歯科用吸引管１０５を載置する台座部材（当接部）９３を備える。台座部材９３は保持筒部７８の下端から保持筒部７８と直交する方向に直線状に延びている。台座部材９３の幅は、図６（ｂ）に示すように、保持筒部７８に保持される歯科用吸引管１０５の内径寸法よりも狭い。
【００６５】
ここで、台座部材９３は、その幅が歯科用吸引管１０５の内径寸法よりも狭いので、台座部材９３は保持筒部７８が挿入された歯科用吸引管１０５の開口縁１０５ａの一部分に下方から当接する。従って、保持筒部７８に歯科用吸引管１０５を保持した場合には、歯科用吸引管１０５の下端開口１０５ｂ（挿入方向Ｉの後方の開口）が、この台座部材９３や他の部材によって封鎖されてしまうことがない。
【００６６】
本例の吸引管ホルダ２５Ａによれば、歯科用吸引管１０５の内部に水滴が残留していた場合などに、この水滴は、歯科用吸引管１０５の下端開口１０５ｂにおいて台座部材９３によって封鎖されていない開口部分を介して歯科用吸引管１０５の外側に排出される。従って、乾燥工程における歯科用吸引管１０５の内部の乾燥を確実なものとすることができる。
【００６７】
なお、台座部材９３は、図６（ｃ）に示すように、上下方向に貫通する中心孔９４を備える直方体形状の部材である。吸引管ホルダ２５Ａを組み立てる際には、第２ホルダ構成部材８３の連結部８７を、台座部材９３の中心孔９４および固定板部８９の貫通孔９０に挿入した状態として第１ホルダ構成部材８２の凹部８５に挿入する。しかる後に、連結部８７の雄ねじ８８を凹部８５の雌ねじ８６に捩じ込んで、第２ホルダ構成部材８３と第１ホルダ構成部材８２を固定する。
【００６８】
（吸引管ホルダの変形例２）
図７（ａ）は変形例２の吸引管ホルダが洗浄液供給フレーム２２に取り付けられた状態を上方から見た場合の斜視図であり、図７（ｂ）はその断面図である。なお、本例の吸引管ホルダ２５Ｂは、上記の吸引管ホルダ２５と対応する構成を備えるので、対応する部分には同一の符号を付して、その説明を省略する。本例の吸引管ホルダ２５Ｂは、ストッパ部材８４の固定板部８９の周方向の一部分に、外周側から切り欠かれた切り欠き部９５を備える。切り欠き部９５の内周側は、上方から見た場合に保持筒部７８の外周面まで達している。また、固定板部８９が載置されている大径筒部７７の上面には径方向に延びる溝部９６が設けられている。溝部９６は、上方から見た場合に切り欠き部９５と重なる位置から外側に向かって延びており、大径筒部７７の外周縁で外側に向かって開口している。
【００６９】
ここで、固定板部８９には切り欠き部９５が設けられている。従って、固定板部８９は保持筒部７８が挿入された歯科用吸引管１０５の開口縁１０５ａの一部分に下方から当接する当接部となっている。従って、保持筒部７８に歯科用吸引管１０５を保持した場合には、歯科用吸引管１０５の下端開口１０５ｂ（挿入方向Ｉの後方の開口）が、この固定板
部８９や他の部材によって封鎖されてしまうことがない。
【００７０】
本例の吸引管ホルダ２５Ｂによれば、歯科用吸引管１０５の内部に水滴が残留していた場合などに、この水滴は、歯科用吸引管１０５の下端開口１０５ｂにおいて台座部材９３によって封鎖されていない切り欠き部９５および大径筒部７７の溝部９６を介して歯科用吸引管１０５の外側に排出される。従って、乾燥工程における歯科用吸引管１０５の内部の乾燥を確実なものとすることができる。
【００７１】
（吸引管ホルダの変形例３）
図８（ａ）は変形例３の吸引管ホルダが洗浄液供給フレーム２２に取り付けられた状態を上方から見た場合の斜視図であり、図８（ｂ）はその断面図である。なお、本例の吸引管ホルダ２５Ｃは、上記の吸引管ホルダ２５と対応する構成を備えるので、対応する部分には同一の符号を付して、その説明を省略する。本例の吸引管ホルダ２５Ｃでは、保持筒部７８は、その下端（保持筒部７８を歯科用吸引管１０５に挿入する挿入方向Ｉの後端）に径方向(挿入方向Ｉと交差する方向）に貫通して中心孔７８ａに連通する水抜き孔９７を備える。
【００７２】
本例の吸引管ホルダ２５Ｃによれば、歯科用吸引管１０５の内部に水滴が残留していた場合などに、この水滴は、水抜き孔９７から保持筒部７８の中心孔７８ａを介して流路８０から連結管部７５の側に排出される。従って、乾燥工程における歯科用吸引管１０５の内部の乾燥を確実なものとすることができる。
【符号の説明】
【００７３】
１・・・洗浄装置
２・・・洗浄室
７・・・第３洗浄液供給口（洗浄液供給口）
２０・・・医療器具洗浄用ユニット
２２・・・洗浄液供給フレーム
２４・・・ハンドピースホルダ（器具ホルダ）
２５・２５Ａ・２５Ｂ・２５Ｃ・・・吸引管ホルダ（第２の器具ホルダ）
３０・・・第１連結口（連結口）
３２・・・中空部（洗浄液供給路）
３３・・・噴出口（洗浄液噴出口）
４１・７５・・・連結管部
４２・７８・・・保持筒部
４５・４５Ａ・・・筒体
４６・・・ケース
４７・・・キャップ
４８・・・流路（洗浄液流路）
４９・・・メッシュフィルタ
６３・・・フィルタ支持部
６４・・・筒体支持部
８１・・・ストッパ
９３・・・台座部材（当接部）
９７・・・水抜き孔
【図１】
2015186566.tif 000003
【図２】
2015186566.tif 000004
【図３】
2015186566.tif 000005
【図４】
2015186566.tif 000006
【図５】
2015186566.tif 000007
【図６】
2015186566.tif 000008
【図７】
2015186566.tif 000009
【図８】
2015186566.tif 000010